(57)【要約】  【課題】  誤挿入防止突起部を備えたメモリーカード用コネクタの提供。  【解決手段】  対向して設けるハウジング本体２とメタルプレート３とによってカード収容空間８を形成する本体を構成し、本体の一方を開口してカード挿入口４を形成し、カード挿入口４と対向するハウジング基部２１にはメモリーカードＭＣのカードパッド部ＭＣ２と接触することで電気的に接続させるコンタクト５を複数並設するメモリーカード用コネクタ１において、  カード挿入口４と対向する側のメタルプレート３には、メタルプレート３の一部を突出させる突起部７を形成し、突起部７がカード挿入口４側を切欠させるかまたはカード挿入口４側とハウジング基部２１側を切欠させてカード収容空間８側へ突設させる。【選択図】  図１
2008041286.tif 000002
【特許請求の範囲】
【請求項１】
対向して設けるハウジング本体とメタルプレートとによってカード収容空間を形成する本体を構成し、本体の一方を開口してカード挿入口を形成し、カード挿入口と対向するハウジング基部にはメモリーカードのカードパッド部と接触することで電気的に接続させるコンタクトを複数並設するメモリーカード用コネクタにおいて、
ハウジング基部側のメタルプレートには、メタルプレートの一部を突出させる突起部を形成し、突起部がカード挿入口側を切欠させるかまたはカード挿入口側とハウジング基部側を切欠させてカード収容空間側へ突設されることを特徴とするメモリーカード用コネクタ。
【請求項２】
対向して設けるハウジング本体とメタルプレートとによってカード収容空間を形成する本体を構成し、本体の一方を開口してカード挿入口を形成し、カード挿入口と対向するハウジング基部にはメモリーカードのカードパッド部と接触することで電気的に接続させるコンタクトを複数並設するメモリーカード用コネクタにおいて、
ハウジング基部側のメタルプレートには、メタルプレートの一部を突出させる突起部を形成し、
突起部は、カード挿入口側を切欠させるかまたはカード挿入口側とハウジング基部側を切欠させて設け、突起部の突設位置はメタルプレートのカード収容空間側であって、カード収容空間へメモリーカードを正常に挿入した際にメモリーカードのカードパッド部に形成したパッド溝に進入可能であり、且つ、カード収容空間へメモリーカードを誤挿入した際にはメモリーカードの挿入側先端とコンタクトとが接触する以前にメモリーカードの挿入側先端が突起部と当接する位置であることを特徴とするメモリーカード用コネクタ。
【発明の詳細な説明】
【技術分野】
【０００１】
この発明は、メモリーカード用コネクタにかかる。詳細には、メモリーカード挿入時に、メモリーカードを所定位置で停止可能なメモリーカード用コネクタ、あるいは、上下逆での挿入を防止するための逆挿し防止構造を有するメモリーカードに対応して逆挿しを防止可能なメモリーカード用コネクタに関する。
【背景技術】
【０００２】
メモリーカード用コネクタは、メモリーカードが挿入されると、コネクタ内部に設けるコンタクトとメモリーカードに設けられているカードパッド部とが電気的に接続され、この適切な接続が成された位置より深くメモリーカードを挿入できないようにメモリーカードの挿入側端部とメモリーカード用コネクタに設ける突出部とが当接する構成のものがあった。
また、メモリーカードではカードパッド部とコンタクトとが適切に接続されなければならないので、メモリーカードの挿入方向は一義的に決まっている。この挿入方向を誤ると、挿入時にメモリーカードの挿入側先端がメモリーカード用コネクタのコンタクトを破損してしまうので、メモリーカードの誤挿入を防止しなければならない。そこで、メモリーカードの上下逆での挿入を防止するために、逆方向で挿入されたメモリーカードの挿入側先端と当接する突起部を設けて誤挿入を防止する構成のものがあった。
【０００３】
そして、一般にメモリーカード用コネクタは、メモリーカードが挿入されるカード挿入部を凹状に形成し一方の端部にコンタクトが設けられるハウジングと、ハウジング上面を覆いハウジングの凹状部分との間にカード挿入空間を形成するプレートとからなる。
このようなメモリーカード用コネクタでは、挿入されたメモリーカードと当接する突起部は、ハウジングに設けるか、プレートに設けることとなる。
該突起部をハウジングに設ける場合には、従来例１のプレートを取外した状態を示す図７に表すように、メモリーカード用コネクタ１００のハウジング１０１の一端に密集して並設されているコンタクト１０２付近であるＡ部に設けることとなるので、突起部となるリブを設けるスペースを確保するためにコンタクト１０２の形状が限定されてしまうという問題点があった。また、ハウジング１０１は樹脂からなるので、メモリーカードの抜き差しを何度も行うことでリブが摩耗してしまい耐久性や強度的に問題があった。
【０００４】
他方、ハウジングと係止させるプレートは、金属板からなるので、強度的にはハウジングより優れている。そこで、プレートを利用してメモリーカードの挿入位置を規制するものもあった。
プレートに突起部を設ける例としては、『カード用コネクタ』（特開２００４-１２７７３１、以後従来例２という）がある。
従来例２は、『（請求項１）複数の端子が並列して装着された絶縁ハウジングと、絶縁ハウジングの少なくとも一部を覆うように設けられたメタルシェルとを備え、
絶縁ハウジングとメタルシェルが共同して形成したカード受入空洞に、前記端子のコンタクト片を臨ませて、カード受入空洞に挿入されたカードの接点に係合するようにしたカード用コネクタにおいて、
前記メタルシェルは、カード受入空洞に挿入されたカードの接点が並列して設けられた面と対向する覆い板部を有し、この覆い板部を切り起こして断面Ｕ字状に成形された誤挿入防止用突部がカード受入空洞内に突出させてあり、カード受入空洞にカードを挿入した時、カードの接点が並列して設けられた面内に形成した進入溝に進入するようにしてあることを特徴とするカード用コネクタ。』他からなる
【０００５】
そして従来例２は、図８および図９に表すように、従来例１同様、絶縁ハウジング２０２とプレートであるメタルシェル２０３とによってカード受入空洞２０４を形成し、カード受入空洞２０４のカード挿入口２４１と対向側の絶縁ハウジング２０２に端子２０１を複数並設してなる。端子２０１の一端はハウジング２０２の外部に位置させ、他端はカード受入空洞２０４内にコンタクト片２１２として臨ませてある。
また、メタルシェル２０３には、平面視でコンタクト片２１２側部位置に、誤挿入防止用突部２３５を設けてある。誤挿入防止用突部２３５は、図９に表すように、メタルシェル２０３の一部を切り起こしてＵ字状に形成してある。従って、誤挿入防止用突部２３５は片持ち状に形成されている。
【０００６】
２０５はメモリーカードであり、メモリーカード２０５の一端に端子２０１のコンタクト片２１２と接触されて電気的に接続される接点２５２を設けてある。そして、メモリーカード２０５は、接点２５２側側部の一方を矢示Ｂのように切り欠いて切欠部５００を設けてある。
そして、メタルシェル２０３に設けた誤挿入防止用突部２３５は、メモリーカード２０５をカード受入空洞２０４内に挿入した際の切欠部５００の位置に設けてある。これによって、メモリーカード２０５の左右を逆に（表裏を逆に）挿入した際には、誤挿入防止用突部２３５にメモリーカード２０５の先端が当接して、メモリーカード２０５が誤挿入防止用突部２３５より先へは挿入できなくなる。
従来例２は、メモリーカード２０５の挿入方向が間違っている場合にはメモリーカード２０５を挿入できなくするための誤挿入防止を目的としているが、誤挿入防止用突部２３５をメモリーカード２０５が挿入される適正位置となるように設けることで、メモリーカード２０５の挿入位置を適正に保つこともできる。
【０００７】
【特許文献１】特開２００４-１２７７３１号公報
【発明の開示】
【発明が解決しようとする課題】
【０００８】
しかしながら、従来例１では、使用者がメモリーカードＭＣを挿入し、メモリーカードＭＣのカードパッド部ＭＣ１がコンタクト１０２と接触した状態でメモリーカード用コネクタ内に装着状態となる。この時、メモリーカードとハウジング１０１に設けたリブとが当接してメモリーカードの挿入位置が規定されることとなるが、前記したとおり、ハウジングに設けたリブは、ハウジング１０１の一端に密集して並設されているコンタクト１０２付近であるＡ部に設けることとなるので、スペースを確保するのが困難であるという問題点を有した。そして、仮にこのスペースを確保するためにはコンタクト１０２をスペース確保が可能な形状にしなければならずコンタクト１０２の形状が限定されてしまうという問題点があった。また、リブを設けて用いたとしても、ハウジング１０１の素材が樹脂であることから、メモリーカードの抜き差しに伴う当接を繰り返すこととなるので、リブが耐摩耗性、耐久性、および、強度に問題を生じてしまう場合があった。
【０００９】
また、従来例２では、プレートであるメタルシェル２０３が金属板からなるので、絶縁ハウジング２０２に比して強度等は良好となるが、メタルシェル２０３の厚みは０．６ｍｍ等と薄いので、プレートであるメタルシェル２０３を切り欠いて片持ち支持状態に設ける誤挿入防止用突部２３５は、やはり繰返しメモリーカード２０５と当接されると、支持部分に繰返し荷重により劣化が発生し、誤挿入防止用突部２３５が破損してしまうというような問題が発生してしまう。勿論、メタルシェル２０３の厚みを増せば良いが、メタルシェル２０３を厚くするのでは、部品コストが嵩む等の問題点が発生してしまう。そして、誤挿入防止用突部２３５として設ける場合には、誤った方向で挿入された場合のみ誤挿入防止用突部２３５にメモリーカード２０５が当接することとなるが、メモリーカード２０５の挿入位置を適正に保つために用いる場合には、メモリーカード２０５挿入時には必ず誤挿入防止用突部２３５と当接することとなり、誤挿入防止用突部２３５が破損してしまうというような問題点は更に深刻化することとなる。
更に、切り起こした誤挿入防止用突部２３５は、メモリーカードの先端と当接する部分が小さいので、メモリーカードの先端を摩耗させたり破損させたりするという問題点を有する。
そして、誤挿入防止用突部２３５の機械的強度をメタルシェル２０３の厚みを増さずに大きくしたり、メモリーカードの先端が破損しないようにするには、誤挿入防止用突部２３５を大きく切り起こすことが考えられるが、この場合には、メタルシェル２０３の表面積が減少してしまい、メタルシェル２０３そのものの機械的強度が低下してしまうという問題点を有した。
【課題を解決するための手段】
【００１０】
そこでこの発明では、メモリーカードの挿入位置を適正に保つことが可能な、あるいは、誤挿入された場合にメモリーカードの挿入を阻止することが可能なメモリーカード用コネクタとして、
【００１１】
対向して設けるハウジング本体とメタルプレートとによってカード収容空間を形成する本体を構成し、本体の一方を開口してカード挿入口を形成し、カード挿入口と対向するハウジング基部にはメモリーカードのカードパッド部と接触することで電気的に接続させるコンタクトを複数並設するメモリーカード用コネクタにおいて、
ハウジング基部側のメタルプレートには、メタルプレートの一部を突出させる突起部を形成し、突起部がカード挿入口側を切欠させるかまたはカード挿入口側とハウジング基部側を切欠させてカード収容空間側へ突設されることを特徴とするメモリーカード用コネクタ、
【００１２】
を提供する。従ってメモリーカード用コネクタでは、突起部が切り起こした形状ではなく、カード挿入口側の一方のみが切り欠かれて突出させた形状、あるいは、カード挿入口側とハウジング本体側とを例えば平行に切り欠いて該切り欠かれて突出させた形状にしている。従って突出部は、カード挿入口側以外の各部がメタルプレートと一体に型押成形等によって形成されるか、切欠部以外の二方がメタルプレートと一体に型押し成形等によってビート状に成形される。そして、この切り欠かれて突出された切欠部がメモリーカードと当接するので、メモリーカード当接時の負荷に耐える。
【００１３】
また、メモリーカードを逆方向に挿入した際に誤挿入を防止可能なメモリーカード用コネクタとしては、
【００１４】
対向して設けるハウジング本体とメタルプレートとによってカード収容空間を形成する本体を構成し、本体の一方を開口してカード挿入口を形成し、カード挿入口と対向するハウジング基部にはメモリーカードのカードパッド部と接触することで電気的に接続させるコンタクトを複数並設するメモリーカード用コネクタにおいて、
ハウジング基部側のメタルプレートには、メタルプレートの一部を突出させる突起部を形成し、
突起部は、カード挿入口側を切欠させるかまたはカード挿入口側とハウジング基部側を切欠させて設け、突起部の突設位置はメタルプレートのカード収容空間側であって、カード収容空間へメモリーカードを正常に挿入した際にメモリーカードのカードパッド部に形成したパッド溝に進入可能であり、且つ、カード収容空間へメモリーカードを誤挿入した際にはメモリーカードの挿入側先端とコンタクトとが接触する以前にメモリーカードの挿入側先端が突起部と当接する位置であることを特徴とするメモリーカード用コネクタ、
【００１５】
を提供する。従って、このメモリーカード用コネクタでは、前記同様の形状の突出部が、メモリーカードのパッド部に形成されるパッド溝に侵入可能に位置されるように形成される。従って、メモリーカードを正常な状態にカード挿入口から挿入した際には、突出部がパッド部に形成されたパッド溝に入り込むので、メモリーカードは所定の位置まで挿入されてコンタクトとカードパッド部とが正常に電気的に接続される。また、メモリーカードを表裏逆に挿入すると、カードパッド部のパッド溝がメタルプレートとは反対側に開口された状態となるので、突起部がパッド溝に侵入せず、メモリーカードの挿入側先端に当接してしまい、突起部より先への挿入を防止するので、逆方向での挿入を阻止する。
【発明の効果】
【００１６】
従って、この発明によれば、メタルプレートに突設した突起部は、その一方あるいは二方が切欠され、他の部分がメタルプレートと一体のままなので、機械的強度を充分に得ることができるという効果を有する。
また、メタルプレートと一方のみが一体となるように切り起こした状態の従来例２では、切り起こし量を増やすと、メタルプレートの表面積が減少しメタルプレートの機械的強度が低下するが、この発明では、突起部を増やしても、少なくとも突起部の両端がメタルプレートと一体となっているため、メタルプレートの機械的強度がさほど低下することがないという効果を有する。
【００１７】
そして、この発明では、突起部がメタルプレートの機械的強度をさほど低下させないことから、突起部を複数設けることや、大きく設けることもでき、メモリーカードの先端と当接した際の当接部分を広範囲とできるので、メモリーカードの先端の一部のみに大きな力が加わることを防止することも可能となり、メモリーカードの先端の破損を防止可能であるという効果を有する。
【発明を実施するための最良の形態】
【００１８】
ハウジング本体にメタルプレートを係止することでメモリーカードを収容可能なカード収容空間を内部に設けた本体を構成する。本体の一方端はカード挿入口として開口していおり、カード挿入口と対向する端部はハウジング本体の基端部でありハウジング基部を形成する。
ハウジング基部には、コンタクトが複数並設固定される。コンタクトは中間部がハウジング基部に固定されており、中間部から延設される両端のうち一方端はカード挿入口側へ突出してハウジングのカード収容空間内に位置され接点部を形成しメモリーカードのカードパッド部と電気的に接続可能にばね力を持って構成する。また他端は、コネクタ外部へ位置されて基板等の電子部材と電気的に接続可能に構成される。
【００１９】
ハウジング本体のメモリーカード挿脱方向と平行な側面には、該側面に進退可能であり、挿入されたメモリーカード側へ付勢力を持って突出しているハーフロック機構を設ける。このハーフロック機構は、中間部が突出するように折曲された板ばねからなり、中間部の突出がメモリーカードに設けられるハーフロック凹部と係止可能なハーフロック係止部を構成する。そしてハーフロック機構は、押圧されることで該側面内へ移動しメモリーカードの挿脱を行わせるが、メモリーカードのハーフロック凹部に係止することで、作業者による着脱時のような力が加わらない限りハーフロック凹部との係止が解除されない。
【００２０】
メタルプレートには、突出させた突起部である誤挿入防止用突部をカード収容空間側に設け、メタルプレートの挿入口と対向するハウジング基部側で、コンタクトよりカード挿入口側に位置させる。該誤挿入防止用突部は、メタルフレームに設けたメモリーカード挿脱方向に平行な２本の切欠部によって両端が支持された状態でプレス加工によってビート形状に突出形成される。従って、該誤挿入防止用突部は、メモリーカード挿脱方向に切欠部があり、切欠部の両端で支持された状態となる。そして、誤挿入防止用突部は、メモリーカード用コネクタのカード収容空間へメモリーカードが正常に挿入された際には誤挿入防止用突部がメモリーカードのカードパッド部に形成したパッド溝に進入可能であり、且つ、カード収容空間へメモリーカードを誤挿入した際にはメモリーカードの挿入側先端とコンタクトとが接触する以前にメモリーカードの挿入側先端が誤挿入防止用突部と当接する位置となるように設ける。
【００２１】
このように構成するメモリーカード用コネクタにおいて、メモリーカードがカード挿入口から正常な方向で挿入されると、誤挿入防止用突部がメモリーカードのカードパッド部に形成したパッド溝に進入し、誤挿入防止用突部がメモリーカードと緩衝することなく、やがてコンタクト接点部がカードパッド部へ乗り上げてカードパッド部を押圧しながら摺動移動される。
他方、メモリーカードがカード挿入口から表裏逆等の異常な状態で挿入されると、メモリーカードの挿入側端部にはパッド溝が存在しないので、挿入されたメモリーカードの挿入側端部がコンタクトに到達する前に誤挿入防止用突部に当接する。これにより、メモリーカードは、当接位置より深く挿入できない。
【実施例１】
【００２２】
以下にこの発明の実施例を、図面に基づき説明する。図１はこの発明の実施例を表す斜視説明図であり、図２はメタルプレートを取外した状態の実施例を表す斜視説明図であり、図３はメモリーカードＭＣを表す斜視説明図で（ａ）はメモリースティックを表し（ｂ）は他のメモリーカードを表す。図４はカード収容空間側から視た突起部を表す斜視説明図であり、図５（ａ）は正常な方向にメモリーカードを挿入した状態を表すメタルプレートの外からカード収容空間側を視た斜視透視説明図であり同（ｂ）は表裏逆にメモリーカードを挿入した状態を表すカード収容空間からメタルプレート側を視た斜視説明図であり、図６は他の誤挿入防止突起部を表す説明図である。
【００２３】
１はこの発明に係るメモリーカード用コネクタである。メモリーカード用コネクタ１（以下、単にコネクタ１という。）は、本体を構成するハウジング本体２とメタルプレート３とを係止させて筐体構造をなし、内部にカード収容空間８を形成してなる。
【００２４】
ハウジング本体２は、絶縁体である高分子樹脂によって成型されており、断面視コ字状に折曲されたメタルプレート３と係止する係止溝（図示せず）によってメタルプレート３が上面に覆い被さるように固定される。ハウジング本体２およびメタルプレート３とで構成する本体の一方は開口しており、メモリーカードを挿入するカード挿入口４を形成している。更に、カード挿入口４と対向する端部は、図２に表すように、ハウジング基部２１を形成して複数のコンタクト５が固定される。またハウジング基部２１の両端からは、カード挿入口４側へ延設した側縁部２２を設ける。従って、カード挿入口４から挿入されるメモリーカードＭＣは、側縁部２２に案内されながら挿入される。
【００２５】
ハウジング基部２１に固定されるコンタクト５は図２に表すように、中間部をハウジング基部２１に固定され中間部から延設する一端がメモリーカード用コネクタ１の外部へ位置されて接続端子部５１を構成する。又、コンタクト５の中間部から延設する他端はカード挿入口４側へ突出してメモリーカード用コネクタ１のカード収容空間８内に位置され接点部５２を形成しメモリーカードＭＣのカードパッド部ＭＣ２と電気的に接続可能に構成する。そして、接点部５２は先端部が湾曲あるいは折曲されており、該折曲された接点部５２の湾曲あるいは折曲された突部がカードパッド部ＭＣ２と接触圧をもって電気的な接続がなされ、この接続を良好に保持可能にばね力を持って構成する。
【００２６】
６はハーフロック係止部である。ハーフロック係止部６は、ハウジング本体２の一方の側縁部２２に設ける。この一方の側縁部２２は、メモリーカード用コネクタ１に挿入されたメモリーカードＭＣに設けるハーフロック溝部ＭＣ３と対向する側の側縁部２２である。そして、ハーフロック係止部６は、中間部をＶ字状となるように突状に折曲して形成した係止突部６１を設けた板ばねからなり、基端部６２が側縁部２２へ係止固定され、先端となる他端が揺動端６３を形成する。そして、ハーフロック係止部６は基端部６１を揺動中心として揺動可能であり、メモリーカードＭＣによって係止突部６１を押圧されると、揺動するが、メモリーカードＭＣ側へ常にばね力による付勢力を働かせる。
この実施例では、ハーフロック係止部６はメタルプレート３の一部を折曲部３１から折曲してメタルプレート３と一体的に成形し、メタルプレート３とハウジング本体２とを係止する際にハウジング本体２に設ける溝と係止し、該係止した部分がハーフロック係止部６の基端部６１となる。
【００２７】
ここで、メモリーカード用コネクタ１に挿入して用いるメモリーカードＭＣについて説明する。メモリーカードＭＣは、電気的な接続を行い他の機器等と情報交換あるいは信号授受を行うためのカードパッド部ＭＣ２がカード表面に露出されているカードであり、メモリースティックカード等である。そこで、図３に基づいてメモリーカードＭＣの構造を説明する。
【００２８】
メモリーカードＭＣは、カード表面ＭＣ１の一方端にカードパッド部ＭＣ２を露出してなる。このカードパッド部ＭＣ２は、メモリーカード用コネクタ１への挿入側端部ＭＣ６にカード表面ＭＣ１より全体に段差を設けて凹状に形成され、カードパッド部ＭＣ２から更に段差を設けて凹状に複数のパッド溝ＭＣ７が形成されて各パッド溝ＭＣ７に各接触部ＭＣ８が設けられている。接触部ＭＣ８は、メモリーカード用コネクタ１のコンタクト４と接触されて電気的な接続が成される端子である。パッド溝ＭＣ７は、挿入側端部ＭＣ６と平行に複数並設されるカードである。又、カード表面ＭＣ１の端部のうち、メモリーカード用コネクタ１への挿入時に側縁部２２と対向する一方の端部には、ハーフロック側側面ＭＣ４まで連続する半円状の溝部ＭＣ３が形成される。この溝部ＭＣ３は、メモリーカード用コネクタ１に設けるハーフロック係止部６が係止される溝で半円形状に設けられており、ハーフロック係止部６と係止する位置でメモリーカードＭＣのカードパッド部ＭＣ２とコンタクト５の接点部とが接触保持状態となる。
【００２９】
尚、メモリーカードＭＣのカードパッド部ＭＣ２は、カードパッド部ＭＣ２全体がカード表面ＭＣ１より１段低い凹状に形成され、その形状から更に１段下がった状態でパッド溝ＭＣ７が形成されるが、図３（ｂ）に表すように、カードパッド部ＭＣ２全体がカード表面ＭＣ１と段差が無く形成されており、パッド溝ＭＣ７がカード表面ＭＣ１より１段下がった凹状に形成されているものもある。
【００３０】
次いで、メモリーカード用コネクタ１のメタルプレート３に設ける誤挿入防止突起部７について説明する。
誤挿入防止突起部７は、図１および図４に表すように、メモリーカード用コネクタ１のハウジング基部２１側であり、且つ、ハウジング基部２１に設けたコンタクト５よりカード挿入口４側に位置し、カード収容空間８側に突設する。詳細には、誤挿入防止突起部７は、メタルプレート３をメモリーカードＭＣ挿入方向に平行に並んで２箇所切欠した切欠部７１によってメタルプレート３からカード収容空間８側へビート状に突起させて形成し、メモリーカードＭＣの幅方向となる両端がメタルプレート３と一体に連結した支持部７２によって支持され、ビート部７３がカード収容空間８側にメタルプレート３表面と平行に突出される。誤挿入防止突起部７は、メタルプレート３を成形するプレス加工時に同時に型押し加工によって形成される。
【００３１】
このように構成するメモリーカード用コネクタ１では、カード挿入口４からメモリーカードＭＣが正常な方向で挿入されると、やがてメモリーカードＭＣの挿入側端部ＭＣ６が挿入と共にハウジング基部２１に近づく。すると、コンタクト５がメモリーカードＭＣのカードパッド部ＭＣ２へ乗上げるようにして押圧接触する。この時、誤挿入防止突起部７は、図５（ａ）に表すように、メモリーカードＭＣの表面ＭＣ１より凹状に窪んだカードパッド部ＭＣ２がメタルプレート３と対向する側に位置しているので、カードパッド部ＭＣ２に触れることなくメモリーカードＭＣが挿入される。
他方、図５（ｂ）に表すように、メモリーカードＭＣの表裏を逆にして挿入した場合には、メモリーカードＭＣの挿入側端部ＭＣ６に設けたカードパッド部ＭＣ２がメタルプレート３とは逆側に位置することとなるので、メモリーカードＭＣ挿入途中で誤挿入防止突起部７がメモリーカードＭＣの挿入側端部ＭＣ６の先端と当接することとなる。これにより、メモリーカードＭＣは、コンタクト５に到達する前にその挿入が制限されて停止されるので、コンタクト５がメモリーカードＭＣの挿入側端部ＭＣ６によって破損されることが無い。
この実施例では、図１等に表すように誤挿入防止突起部７の幅が比較的狭いが、誤挿入防止突起部７が両端支持のビート状に形成されているため、メタルプレート３の機械的強度を低下させることがほとんど無いので、メモリーカードＭＣの幅方向にカードパッド部ＭＣ２の幅に亙って幅広に設けても良い。この場合には、メモリーカード誤挿入時に、誤挿入防止突起部７がメモリーカードＭＣの挿入側端部ＭＣ６と広範囲に亙って当接するので、メモリーカードＭＣの損傷に対する安全性が向上する。
【００３２】
尚、実施例１では、メモリーカードＭＣは、図３（ａ）に表すように、カードパッド部ＭＣ２が表面ＭＣ１から一段窪んだ凹状に設けられ更にもう一段窪んだ凹状にパッド溝ＭＣ７が設けられている例であったが、メモリーカードＭＣによっては、図３（ｂ）に表すようにカードパッド部ＭＣ２はカード表面ＭＣ１と同一面に有り、これから一段窪んだ凹状にパッド溝ＭＣ７が形成されているものもある。
このようなメモリーカードＭＣに対応するには誤挿入防止突起部７を、パッド溝ＭＣ７内に入り込むことが可能な幅に形成し、且つ、接触部に接触しないような突出量に突設する。そして、誤挿入防止突起部７を、挿入されるメモリーカードＭＣのパッド溝ＭＣ７と対向する位置に設ける。
【００３３】
従って、メモリーカードＭＣの正常挿入時には誤挿入防止突起部７がパッド溝ＭＣ７に入り込むので、正常な挿入位置までメモリーカードＭＣを挿入でき、コンタクト５とパッド溝ＭＣ７の接触部ＭＣ８とが接触して電気的な接続が成される。
他方、メモリーカードＭＣが表裏誤って挿入された場合には、実施例１同様に誤挿入防止突起部７がメモリーカードＭＣの挿入側端部ＭＣ６と当接し、当接位置以上にメモリーカードＭＣが挿入できなくなる。
【００３４】
また、上記実施例では、誤挿入防止突起部７はメモリーカードＭＣの誤挿入時に、メモリーカードＭＣがコンタクト５と接触してコンタクト５を損傷しないように設けたが、誤挿入防止突起部７によってメモリーカードＭＣの正常挿入時の挿入最奥部位置を規定する位置決めに用いても良い。
この場合には、メモリーカードＭＣを最奥部まで挿入した状態の時に、図３に表すカードパッド部ＭＣ２とカード表面ＭＣ１との段差部ＭＣ９に、誤挿入防止突起部７が当接する位置に設ける。これにより、メモリーカードＭＣは誤挿入防止突起部７と当接してそれ以上挿入ができない位置まで挿入すると、自動的に最奥部の所定位置へ挿入完了となる。このようにすることで、メモリーカードＭＣの挿入側先端がメモリーカード用コネクタ１のハウジング基部２１と当接しない位置で正常な挿入を完了できる。
【００３５】
尚、上記各実施例では、誤挿入防止突起部７を一箇所のみに設けたが、誤挿入防止突起部７が両端支持のビート状に形成されているため、メタルプレート３の機械的強度を低下させることがほとんど無いので、複数箇所に設けることも可能である。
【００３６】
また、上記各実施例では、誤挿入防止突起部７は、両端支持のビート状に設けたが、
図６に表すように、誤挿入防止突起部７のカード挿入口４側のみに切欠部７１を設け、半球状に突出するように設けても良い。
【産業上の利用可能性】
【００３７】
上記のように構成するメモリーカード用コネクタは、コンピュータや携帯電話等の電子機器への利用が可能である。
【図面の簡単な説明】
【００３８】
【図１】この発明の実施例を表す斜視説明図
【図２】メタルプレートを取外した状態の実施例を表す斜視説明図
【図３】（ａ）はメモリースティックカードの斜視説明図（ｂ）は他のメモリーカードカードの斜視説明図
【図４】カード収容空間側から視た突起部を表す斜視説明図
【図５】（ａ）は正常な方向にメモリーカードを挿入した状態を表すメタルプレートの外からカード収容空間側を視た斜視透視説明図、（ｂ）は表裏逆にメモリーカードを挿入した状態を表すカード収容空間からメタルプレート側を視た斜視説明図
【図６】他の誤挿入防止突起部を表す説明図
【図７】従来例１を表す斜視説明図
【図８】従来例２のカード挿入状態を表す説明図
【図９】従来例２の部分斜視説明図
【符号の説明】
【００３９】
Ａ  プッシュバック量
Ｄ  塵や埃
ＭＣ  メモリーカード
ＭＣ１  カード表面
ＭＣ２  カードパッド部
ＭＣ３  溝部
ＭＣ４  ハーフロック側側面
ＭＣ６  挿入側端部
ＭＣ７  パッド溝
ＭＣ８  接触部
１  メモリーカード用コネクタ
２  ハウジング本体
２１  ハウジング基部
２２  側縁部
２４  壁部
２５  案内溝
３  メタルプレート
４  カード挿入口
５  コンタクト
５１  接続端子部
５２  接点部
６  ハーフロック係止部
６１  係止突部
６２  基端部
６３  揺動端
７  誤挿入防止突起部（突起部）
７１  切欠部
７２  支持部７２
８  カード収容空間
【図３】
2008041286.tif 000003
【図４】
2008041286.tif 000004
【図６】
2008041286.tif 000005
【図８】
2008041286.tif 000006
【図９】
2008041286.tif 000007
【図１】
2008041286.tif 000008
【図２】
2008041286.tif 000009
【図５】
2008041286.tif 000010
【図７】
2008041286.tif 000011